(57)【要約】【課題】接続損失を十分に小さくする。【解決手段】フォトニッククリスタルファイバ１と他の光ファイバ１０との間に両ファイバを接続する接続用光ファイバ端材２０を設ける。接続用光ファイバ端材２０は、フォトニッククリスタルファイバ１のコア２や他の光ファイバ１０のコア１１に接続されるコア端材２１と、コア端材２１の周囲に設けられてフォトニッククリスタルファイバ１のクラッド３や他の光ファイバ１０のクラッド１２に接続されるクラッド端材２２とを有する。コア端材２１とクラッド端材２２とのうちの少なくとも一つには、フォトニッククリスタルファイバ１との溶融接続時にフォトニッククリスタルファイバ１に拡散することでコア２とクラッド３の間に屈折率差Δを発現させる屈折率調整用不純物２４（２４’）を添加する。【選択図】  図４
2004252040.tif 000002
【特許請求の範囲】
【請求項１】
コアとクラッドとが同等の屈折率を有するとともに前記クラッドにファイバ軸方向に沿った細空洞群が設けられたフォトニッククリスタルファイバを他の光ファイバに融着接続するフォトニッククリスタルファイバの接続構造であって、
前記フォトニッククリスタルファイバと前記他の光ファイバとの間に挿入配置されて両ファイバを接続する接続用光ファイバ端材を有しており、
前記接続用光ファイバ端材は、前記フォトニッククリスタルファイバのコアや前記他の光ファイバのコアに接続されるコア端材と、前記コア端材の周囲に設けられて前記フォトニッククリスタルファイバのクラッドや前記他の光ファイバのクラッドに接続されるクラッド端材とを有しており、
前記コア端材と前記クラッド端材とのうちの少なくとも一つには、前記フォトニッククリスタルファイバとの融着接続時にフォトニッククリスタルファイバに拡散することでフォトニッククリスタルファイバ接続端の前記コアと前記クラッドとの間に光の閉じ込めに必要な屈折率差Δを発現させる屈折率調整用不純物が添加されている、
ことを特徴とするフォトニッククリスタルファイバの接続構造。
【請求項２】
請求項１に記載のフォトニッククリスタルファイバの接続構造において、
前記屈折率調整用不純物は、光の閉じ込めに必要な屈折率差Δを接続用光ファイバ端材において前記コア端材と前記クラッド端材との間に生じさせるのに必要な添加量と、光の閉じ込めに必要な屈折率差Δを前記フォトニッククリスタルファイバ接続端において前記コアと前記クラッドとの間に生じさせるのに必要な添加量とを加算した添加量でもって前記コア端材と前記クラッド端材とのうちの少なくとも一つに添加されている、
ことを特徴とするフォトニッククリスタルファイバの接続構造。
【請求項３】
コアとクラッドとが同等の屈折率を有するとともに前記クラッドにファイバ軸方向に沿った細空洞群が設けられたフォトニッククリスタルファイバと他の光ファイバとの間に融着接続により介装されてこれら両光ファイバを接続する接続用光ファイバ端材であって、
前記接続用光ファイバ端材は、前記フォトニッククリスタルファイバのコアや前記他の光ファイバのコアに接続されるコア端材と、前記コア端材の周囲に設けられて前記フォトニッククリスタルファイバのクラッドや前記他の光ファイバのクラッドに接続されるクラッド端材とを有しており、
前記コア端材と前記クラッド端材とのうちの少なくとも一つには、前記フォトニッククリスタルファイバとの溶融接続時にフォトニッククリスタルファイバに拡散することでフォトニッククリスタルファイバ接続端の前記コアと前記クラッドの間に光の閉じ込めに必要な屈折率差Δを発現させる屈折率調整用不純物が添加されている、
ことを特徴とする接続用光ファイバ端材。
【請求項４】
請求項３に記載の接続用光ファイバ端材において、
前記屈折率調整用不純物は、光の閉じ込めに必要な屈折率差Δを接続用光ファイバ端材において前記コア端材と前記クラッド端材との間に生じさせるのに必要な添加量と、光の閉じ込めに必要な屈折率差Δを前記フォトニッククリスタルファイバ接続端において前記コアと前記クラッドとの間に生じさせるのに必要な添加量とを加算した添加量でもって前記コア端材と前記クラッド端材とのうちの少なくとも一つに添加されている、
ことを特徴とする接続用光ファイバ端材。
【発明の詳細な説明】
【０００１】
【発明の属する技術分野】
本発明は、コアとクラッドとが同等の屈折率を有するフォトニッククリスタルファイバの接続構造およびそれに用いる接続用光ファイバ端材に関する。
【０００２】
【従来の技術】
近年、大きな波長分散を発現する光ファイバとして、フォトニッククリスタルファイバが注目されている。フォトニッククリスタルファイバは、クラッドに細空洞群が設けられ、さらにクラッドは二次元的に屈折率が周期的に変動するフォトニッククリスタル構造を有している。フォトニッククリスタルファイバはこのような構成を備えることによって上記特性を発現させている（特許文献１参照。
【０００３】
フォトニッククリスタルファイバにおける信号光の閉じ込めはフォトニッククリスタル構造や細空洞群により図ることができる。そのため、フォトニッククリスタルファイバでは、必ずしも他の光ファイバのようにコア材料とクラッド材料との間に屈折率差Δを設けて信号光を閉じ込める必要がない。
【０００４】
【特許文献１】
特開２００２−２７７６４９
このような特徴を有するフォトニッククリスタルファイバにおいては、従来から、コアの屈折率とクラッドの屈折率とを同等にすることで、偏波モード分散および非線形効果の低減を図ったものがある。
【０００５】
【発明が解決しようとする課題】
しかしながら、このようにして偏波モード分散および非線形効果の低減を図ったフォトニッククリスタルファイバを他の光ファイバに融着接続する場合、接続箇所における信号光の閉じ込めが不十分となる結果、接続損失が過大になるという課題があった。これは、融着接続時に加えられる熱によって接続部のクラッドが溶融すると、フォトニッククリスタルファイバの接続端およびその近傍に位置する細空洞群が消滅することに起因している。すなわち、コアとクラッドとの間に屈折率差Δが存在しないフォトニッククリスタルファイバでは、溶融接続部位において細空洞群が消滅すると、この部位において信号光をコア付近に閉じ込めることが不可能となり、接続損失が増大する。
【０００６】
【課題を解決するための手段】
上述した課題を解決するためには、本発明は、コアとクラッドとが同等の屈折率を有するとともに前記クラッドにファイバ軸方向に沿った細空洞群が設けられたフォトニッククリスタルファイバを他の光ファイバに融着接続するフォトニッククリスタルファイバの接続構造において次のように構成する。
【０００７】
すなわち、本発明は、前記フォトニッククリスタルファイバと前記他の光ファイバとの間に挿入配置されて両ファイバを接続する接続用光ファイバ端材を有している。前記接続用光ファイバ端材は、前記フォトニッククリスタルファイバのコアや前記他の光ファイバのコアに接続されるコア端材と、前記コア端材の周囲に設けられて前記フォトニッククリスタルファイバのクラッドや前記他の光ファイバのクラッドに接続されるクラッド端材とを有している。前記コア端材と前記クラッド端材とのうちの少なくとも一つには、前記フォトニッククリスタルファイバとの融着接続時にフォトニッククリスタルファイバに拡散することでフォトニッククリスタルファイバ接続端の前記コアと前記クラッドの間に光の閉じ込めに必要な屈折率差Δを発現させる屈折率調整用不純物が添加されている。
【０００８】
このような接続構造においても、融着接続時に加えられる熱によって接続端におけるフォトニッククリスタルファイバのクラッドが溶融して、接続端およびその近傍に位置する細空洞群が消滅する。しかしながら、接続用光ファイバ端材が有するコア端材やクラッド端材のうちの少なくとも一つには、前記フォトニッククリスタルファイバとの溶融接続時にフォトニッククリスタルファイバに拡散することでフォトニッククリスタルファイバの前記コアと前記クラッドとの間に光の閉じ込めに必要な屈折率差Δを発現させる屈折率調整用不純物が添加されている。そのため、フォトニッククリスタルファイバの接続端において屈折率差Δが生じて光の閉じ込め作用が発生する。これにより、フォトニッククリスタルファイバの接続端においては、クラッドの溶融により細空洞群が消滅するにもかかわらず、光は発現された屈折率差Δによって確実にコア近傍に閉じ込められることになる。
【０００９】
また、コアとクラッドとが同等の屈折率を有するフォトニッククリスタルファイバは、開口率ＮＡが大きいために、他の光ファイバと接続する際の接続損失が大きくなるという特徴がある。これに対して、本発明の構成では、上述したように、フォトニッククリスタルファイバの接続端に接続用光ファイバ端材から屈折率調整用不純物が拡散して屈折率差Δが発現する。そのため、発現した屈折率差Δによってフォトニッククリスタルファイバの接続端での開口率ＮＡが小さくなる結果、フォトニッククリスタルファイバと接続用光ファイバ端材との間の接続損失は小さくなる。
【００１０】
例えば、ゲルマニウム（Ｇｅ）等は、添加対象物質の屈折率を高める作用する。そのため、屈折率調整用不純物としてゲルマニウム（Ｇｅ）等をコア端材に添加すれば、溶融接続時にゲルマニウム（Ｇｅ）等がフォトニッククリスタルファイバのコアに拡散することで、接続端でのコアの屈折率が高まり、その結果、上記屈折率差Δが発現する。
【００１１】
また、ふっ素（Ｆ）等は、添加対象物質の屈折率を低める作用する。そのため、屈折率調整用不純物としてふっ素（Ｆ）等をクラッド端材に添加すれば、溶融接続時にふっ素（Ｆ）等がフォトニッククリスタルファイバのクラッドに拡散することで、接続端でのクラッドの屈折率が低まり、その結果、上記屈折率差Δが発現する。
【００１２】
なお、接続損失を低減させるためには、接続用光ファイバ端材においても光を閉じ込めることが必要となる。そのため、屈折率差Δを生じさせる上述した屈折率調整用不純物は、接続用ファイバ端材においても必要となる。そのため、前記屈折率調整用不純物は、光の閉じ込めに必要な屈折率差Δを接続用光ファイバ端材において前記コア端材と前記クラッド端材との間に生じさせるのに必要な添加量と、光の閉じ込めに必要な屈折率差Δを前記フォトニッククリスタルファイバ接続端において前記コアと前記クラッドとの間に生じさせるのに必要な添加量とを加算した添加量でもって前記コア端材と前記クラッド端材とのうちの少なくとも一つに添加されているのが好ましい。
【００１３】
【発明の実施の形態】
以下、本発明の実施形態に係るフォトニッククリスタルファイバの接続構造を図面に参照して説明する。
【００１４】
図１は、フォトニッククリスタルファイバ１を示す。フォトニッククリスタルファイバ１は、ともに石英（ＳｉＯ２）からなるコア２およびクラッド３と、被覆４とを備えている。コア２は、ファイバ中心を長手方向に延びる中実構造を有している。クラッド３は、コア２を覆うように設けられている。クラッド３は、ファイバ長手方向に沿って延びる多数の細空洞群５を有している。被覆４は、クラッド３を覆って設けられている。クラッド３は、二次元的に屈折率が周期的に変動するフォトニッククリスタル構造を有している。コア２とクラッド３とは、同一のガラス材（石英）から構成されており、同等の屈折率を有している。したがって、コア２とクラッド３との間には屈折率差Δは存在しない。一般に光ファイバにおいては、コアにゲルマニウム（Ｇｅ）を添加することで比屈折率Δを形成する。しかしながら、ゲルマニウム（Ｇｅ）は添加されることで光ファイバの偏波モード分散を大きくするという特性がある。そのため、コア２にゲルマニウム（Ｇｅ）を添加しないフォトニッククリスタルファイバ１は、偏波モード分散や非線形効果が低減されている。
【００１５】
フォトニッククリスタルファイバ１において信号光は、コア２付近に閉じこめられて伝搬される。フォトニッククリスタルファイバ１のファイバ径は１２５μｍで、ＭＦＤ（ｄ１）は約３μｍである。
【００１６】
図２は、フォトニッククリスタルファイバ１が接続される他の光ファイバ１０を示す。他の光ファイバ１０は、ファイバ中心を長手方向に延びる石英（ＳｉＯ２）製のコア１１と、コア１１を覆うように設けられた石英（ＳｉＯ２）製のクラッド１２と被覆１３とを備えている。他の光ファイバ１０では、コア１１付近に信号光を閉じ込めるためにコア１１とクラッド１２との間に屈折率差Δが形成されている。他の光ファイバ１０では、屈折率差Δを形成するために、コア１１やクラッド１２に不純物が添加されている。例えば、他の光ファイバ１０では、コア１１にゲルマニウム（Ｇｅ）がドープされている。他の光ファイバ１０のファイバ径は１２５μｍで、ＭＦＤ（ｄ２）は約１０μｍである。
【００１７】
図３は、本発明の特徴構成である接続用光ファイバ端材２０を示す。接続用光ファイバ端材２０は、ファイバ中心を長手方向に延びる石英（ＳｉＯ２）製のコア端材２１と、コア端材２１を覆うように設けられた石英（ＳｉＯ２）製のクラッド端材２２と、被覆２３とを備えている。接続用光ファイバ端材２０では、コア端材２１付近に信号光を閉じ込めるためにコア端材２１とクラッド端材２２との間に屈折率差Δが形成されている。接続用光ファイバ端材２０では、屈折率差Δを形成するために、コア端材２１やクラッド端材２２に不純物が添加されている。具体的には、接続用光ファイバ端材２０では、コア端材２１に、その屈折率を上昇させる作用を有する屈折率調整用不純物２４（例えば、ゲルマニウム（Ｇｅ））がドープされている。
【００１８】
ただし、接続用光ファイバ端材２０では、屈折率調整用不純物２４の添加量が他の光ファイバ１０における不純物の添加量と異なっている。以下、説明する。
【００１９】
接続用光ファイバ端材２０はフォトニッククリスタルファイバ１に対する融着接続により接続されることを前提に構成されている。さらに、接続用光ファイバ端材２０における屈折率調整用不純物２４は、融着接続時にフォトニッククリスタルファイバ１（具体的にはコア２）に拡散することで、接続端近傍においてコア２とクラッド３との間に屈折率差Δを発現させて信号光を閉じ込めることを目的としてコア端材２１に添加されている。
【００２０】
そのため、屈折率調整用不純物２４は、次の条件を満たす程度の量がコア端材２１に添加されている。
【００２１】
すなわち、溶融接続後（コア２に拡散した後）において、
・拡散した屈折率調整用不純物２４によってフォトニッククリスタルファイバ接続端のコア２とクラッド３との間に、十分なる信号光の閉じ込めが可能な程度の屈折率差Δを生じさせることが可能である、
・拡散後に残存する屈折率調整用不純物２４によってコア端材２１とクラッド端材２２との間に十分なる信号光の閉じ込めが可能な程度の屈折率差Δを生じさせることが可能である、
という条件を満たす程度の添加量でもって、屈折率調整用不純物２４はコア端材２１に添加されている。
【００２２】
接続用光ファイバ端材２０のファイバ径は１２５μｍである。この値は他の光ファイバ１０と同等である。
【００２３】
次に、接続用光ファイバ端材２０を用いたフォトニッククリスタルファイバ１と他の光ファイバ１０との接続過程を図４を参照して説明する。まず、フォトニッククリスタルファイバ１の接続端１ａに接続用光ファイバ端材２０の一端２０ａが接続される。この接続は融着接続により実施される。このとき、両ファイバ１，２０はコア２とコア端材２１とが一致して重なるように配置される。
【００２４】
接続時、融着熱により、接続端１ａの細空洞群５が消滅する。しかしながら、溶融時には、コア端材２１に添加された屈折率調整用不純物２４が、コア２に拡散する。屈折率調整用不純物２４は前述した添加量でもってコア端材２１に添加されている。そのため、接続端１ａにおけるコア２とクラッド３との間には、コア端材２１から拡散した屈折率調整用不純物２４により、信号光の閉じ込めが十分に可能な程度の屈折率差Δが生じる。
【００２５】
一方、コア端材２１では、拡散により屈折率調整用不純物２４の添加量が減少する。しかしながら、予め、コア端材２１には、融着接続後（拡散後）であってもコア端材２１とクラッド端材２２との間に十分なる信号光の閉じ込めができる（屈折率差Δを生じさることができる）程度の添加量でもって屈折率調整用不純物２４が添加されている。
【００２６】
そのため、接続用光ファイバ端材２０の一端２０ａにおいては、コア端材２１からコア２に屈折率調整用不純物２４が拡散したにもかかわらず、コア端材２１とクラッド端材２２との間には信号光の閉じ込めが十分に可能な程度の屈折率差Δが残存する。
【００２７】
次に、接続用光ファイバ端材２０の他端２０ｂに他の光ファイバ１０の接続端１０ａが融着接続される。このとき、両ファイバ１０，２０は、コア１１とコア端材２１とが一致して重なるように配置される。このとき、コア端材２１からコア１１に屈折率調整用不純物２４が拡散しようとする。しかしながら、コア１１には、既に屈折率調整用不純物２４（Ｇｅ）と同等の添加量でもって不純物（Ｇｅ）が添加されているために、屈折率調整用不純物２４は積極的にコア１１には拡散しない。そのため、接続端１０ａにおいて他の光ファイバ１０のコア１１とクラッド１２との間の屈折率差Δの変動は小さく、したがって、接続端１０ａにおいて信号光は確実にコア１１付近に閉じ込められる。
【００２８】
なお、上述した説明では、フォトニッククリスタルファイバ１に接続用光ファイバ端材２０を接続してから、接続用光ファイバ端材２０に他の光ファイバ１０を接続した。しかしながら、他の光ファイバ１０に接続用光ファイバ端材２０を接続してから、接続用光ファイバ端材２０にフォトニッククリスタルファイバ１を接続してもよいのはいうまでもない。
【００２９】
本実施形態では、接続用光ファイバ端材２０を介して、フォトニッククリスタルファイバ１を他の光ファイバ１０に接続するために、その接続部位において確実に信号光の閉じ込めが可能となる。したがって、接続損失は十分に抑制されることになる。
【００３０】
また、発現した屈折率差Δによってフォトニッククリスタルファイバ１の接続端１ａでの開口率ＮＡが小さくなる結果、フォトニッククリスタルファイバ１と接続用光ファイバ端材２０との間の接続損失は小さくなる。
【００３１】
なお、本実施形態では、接続用光ファイバ端材２０を設けることで伝送損失が生じることになる。そのため、接続用光ファイバ端材２０の長さを制限することが必要となる。すなわち、接続用光ファイバ端材２０を用いずにフォトニッククリスタルファイバ１と他の光ファイバ１０とを直接接続した場合の接続損失をＡ（ｄＢ）、接続用光ファイバ端材２０を用いた場合の接続損失をＢ（ｄＢ）とする。そうすると、（Ａ−Ｂ）（ｄＢ）が接続用光ファイバ端材２０を用いることにより低減できた接続損失となる。ここで、接続用光ファイバ端材２０の伝送損失をＣ（ｄＢ／ｋｍ）としたとき、接続用光ファイバ端材２０の長さが（Ａ−Ｂ）／Ｃ（ｋｍ）よりも長くなると、低減した接続損失が接続用光ファイバ端材２０の伝送損失によって相殺されてしまうこととなる。しかしながら、実際には、フォトニッククリスタルファイバ１及び他の光ファイバ１０のそれぞれとの接続の作業性等を考慮しても接続用光ファイバ端材２０の長さは１ｍ以下で十分である。また、接続用光ファイバ端材２０の伝送損失は概ね０．００１ｄＢ以下であると考えることができる。そのため、接続用光ファイバ端材２０の伝送損失は事実上無視できる。
【００３２】
上述した実施の形態においては、接続用光ファイバ端材２０のコア端材２１全体に屈折率調整用不純物２４が添加されていたが、屈折率調整用不純物２４は、少なくとも、フォトニッククリスタルファイバ１との接続端におけるコア端材２１にその必要量が添加されておればよい。ただし、それ以外のコア端材２１部位においても、光の閉じ込めが可能な程度の添加量でもって屈折率調整用不純物２４が添加されている。
【００３３】
また、上述した実施の形態においては、屈折率を上昇させる作用を発揮する不純物（ゲルマニウム等）が屈折率調整用不純物２４としてコア端材２１に添加されていた。しかしながら、この他、屈折率を低下させる作用を発揮する不純物（ふっ素等）が屈折率調整用不純物２４’としてクラッド端材２２に添加されてもよい。また、コア端材２１とクラッド端材２２とにそれぞれ屈折率調整用不純物２４，２４’を添加してもよい。これらの場合であっても、その添加量は次のように設定される。すなわち、溶融接続後（コア２に拡散した後）において、
・拡散した屈折率調整用不純物２４（２４’）によってフォトニッククリスタルファイバ接続端のコア２とクラッド３との間に、十分なる信号光の閉じ込めが可能な程度の屈折率差Δを生じさせることが可能である、
・拡散後に残存する屈折率調整用不純物２４（２４’）によってコア端材２１とクラッド端材２２との間に十分なる信号光の閉じ込めが可能な程度の屈折率差Δを生じさせることが可能である、
という条件を満たす程度の添加量でもって、屈折率調整用不純物２４（２４’）をコア端材２１やクラッド端材２２に添加する必要がある。
【００３４】
例えば、屈折率調整用不純物２４’がクラッド端材２２に添加された接続用光ファイバ端材２０’を用いたフォトニッククリスタルファイバ１と接続用光ファイバ端材２０’との接続過程は次のようになる。すなわち、フォトニッククリスタルファイバ１の接続端１ａに接続用光ファイバ端材２０’の一端２０ａが接続される。接続時、融着熱により、接続端１ａの細空洞群５が消滅する。しかしながら、溶融時には、クラッド端材２２に添加された屈折率調整用不純物２４’が、クラッド３に拡散する。屈折率調整用不純物２４’は上述した添加量でもってクラッド端材２２に添加されている。そのため、接続端１ａにおけるコア２とクラッド３との間には、クラッド端材２２から拡散した屈折率調整用不純物２４’により、信号光の閉じ込めが十分に可能な程度の屈折率差Δが生じる。
【００３５】
一方、クラッド端材２２では、拡散により屈折率調整用不純物２４’の添加量が減少する。しかしながら、予め、クラッド端材２２には、融着接続後（拡散後）であってもコア端材２１とクラッド端材２２との間に十分なる信号光の閉じ込めができる（屈折率差Δを生じさることができる）程度の添加量でもって屈折率調整用不純物２４’が添加されている。
【００３６】
そのため、接続用光ファイバ端材２０の一端２０ａにおいては、クラッド端材２２からクラッド３に屈折率調整用不純物２４’が拡散したにもかかわらず、コア端材２１とクラッド端材２２との間には信号光の閉じ込めが十分に可能な程度の屈折率差Δが残存する。
【００３７】
接続用光ファイバ端材２０’の他端２０ｂと他の光ファイバ１０の接続端１０ａとの融着接続は、上述した実施の形態と同様であるので説明を省略する。
【００３８】
このように、本発明の変形例においても、接続用光ファイバ端材２０’を介して、フォトニッククリスタルファイバ１を他の光ファイバ１０に接続している。そのため、その接続部位において確実に信号光の閉じ込めが可能となる。したがって、接続損失は十分に抑制されることになる。
【００３９】
なお、上述した実施の形態およびその変形例では、フォトニッククリスタルファイバ１のコア２は中実コアとしたが、特にこれに限定されるものではなく、中空コアのものであってもよい。
【００４０】
また、接続用光ファイバ端材２０を介してフォトニッククリスタルファイバ１に接続する他の光ファイバ１０は、フォトニッククリスタルファイバでもよい。
【００４１】
また、接続用光ファイバ端材２０をフォトニッククリスタルファイバから構成してもよい。
【００４２】
また、接続用光ファイバ端材２０と他の光ファイバ１０とは、コネクタを用いた突き合わせにより接続してもよい。
【００４３】
【発明の効果】
以上説明したように、本発明によれば、偏波モード分散および非線形効果の低減を図るために、コアとクラッドとを同様の屈折率を有する材料から構成したフォトニッククリスタルファイバであっても、接続損失を十分に小さくした状態で他の光ファイバに融着接続することが可能となる。
【００４４】
さらには、フォトニッククリスタルファイバの接続端に発現させた屈折率差Δによってフォトニッククリスタルファイバ接続端での開口率ＮＡを小さくできる結果、フォトニッククリスタルファイバと接続用光ファイバ端材との間の接続損失を小さくすることができる。
【図面の簡単な説明】
【図１】フォトニッククリスタルファイバの構造を示す斜視図である。
【図２】他の光ファイバ１の構成を示す斜視図である。
【図３】接続用光ファイバ端材の構成を示す斜視図である。
【図４】接続用光ファイバ端材を用いたフォトニッククリスタルファイバと他の光ファイバとの接続構造を示す一部切欠側面図である。
【符号の説明】
１  フォトニッククリスタルファイバ  １ａ  接続端    ２  コア
３  クラッド          ４  被覆    ５  細空洞群
１０  他の光ファイバ      １０ａ  接続端  １１  コア
１２  クラッド        １３  被覆
２０  接続用光ファイバ端材    ２０ａ  一端    ２０ｂ  他端
２１  コア端材        ２２  クラッド端材
２３  被覆          ２４屈折率調整用不純物
【図１】
2004252040.tif 000003
【図２】
2004252040.tif 000004
【図３】
2004252040.tif 000005
【図４】
2004252040.tif 000006